(57)【要約】【課題】  商品情報と商品の配置との対応関係を維持させ、十分な商品情報を顧客に提供し、顧客の購買意欲を向上させることができる商品情報表示具を提供する。【解決手段】  横並びに配設される複数のバーに吊り下げられる商品の商品情報表示具において、少なくとも一部の領域に商品情報を表示する本体部と、本体部の下端側に設けられ、複数のバーに係止させる複数の係止部を備え、複数の係止部は、少なくとも一つがバーの軸線の交差方向に所定量以上移動することを規制するように構成され、その内の少なくとも一つ、又は二つ以上の組み合わせで、バーの軸線方向に対する本体部の転倒モーメントに対抗するように構成されることを特徴とする。【選択図】図１
0003130147.tif 000002
【実用新案登録請求の範囲】
【請求項１】
横並びに配設される複数のバーに吊り下げられる商品の商品情報表示具において、少なくとも一部の領域に商品情報を表示する本体部と、本体部の下端側に設けられ、複数のバーに係止させる複数の係止部とを備え、複数の係止部は、少なくとも一つがバーの軸線の交差方向に所定量以上移動することを規制するように構成され、その内の少なくとも一つ、又は二つ以上の組み合わせで、バーの軸線方向に対する本体部の転倒モーメントに対抗するように構成されることを特徴とする商品情報表示具。
【請求項２】
本体部は、平板状の前面部と、平板状の後面部とを備え、前面部及び後面部は、互いの上端側同士が直接的又は間接的に接続され、互いの下端側同士が離間するように形成されると共に、前面部及び後面部の少なくとも何れか一方の下端側に係止部を備えることを特徴とする請求項１に記載の商品情報表示具。
【請求項３】
前面部の下端側と後面部の下端側とが接離可能に構成されることを特徴とする請求項２に記載の商品情報表示具。
【請求項４】
少なくとも一つの係止部が、バーの軸線方向に連続してバーの周面の上側と当接するように構成されることを特徴とする請求項１乃至３の何れか１項に記載の商品情報表示具。
【請求項５】
二つ以上の係止部が、バーの軸線方向に離間してバーの周面の上側と当接するように構成されることを特徴とする請求項１乃至３の何れか１項に記載の商品情報表示具。
【請求項６】
少なくとも一つの係止部が、バーの周面の上側と当接すると共に、バーの周面の下側と当接するように構成されることを特徴とする請求項１に記載の商品情報表示具。
【請求項７】
各係止部は、下向き又は横向きに形成された開口を経由して前記バーを嵌め込み可能な凹部の内周で構成されることを特徴とする請求項１乃至６の何れか１項に記載の商品情報表示具。
【請求項８】
少なくとも一つの係止部は、バーが挿通される穴の内周で構成されることを特徴とする請求項１乃至６項の何れか１項に記載の商品情報表示具。
【請求項９】
本体部は、上端側から下端側に向けて、屈曲又は湾曲する表面を少なくとも一つ備えることを特徴とする請求項１乃至８に記載の商品情報表示具。
【請求項１０】
請求項１乃至９の何れか１項に記載の複数の商品情報表示具を、分離可能に横並びに連設するようにして構成されることを特徴とする商品情報表示具の連続体。
【考案の詳細な説明】
【技術分野】
【０００１】
本考案は、商品の情報を提供し、顧客の購買意欲を促進させるために用いられる商品情報表示具及びその連続体に関する。
【背景技術】
【０００２】
従来、店頭における商品の陳列形態として、図１１に示すように、横並びに配設された複数のバーＹｂ，…に商品Ｚ，…を吊り下げて陳列する形態がある。そして、バーＹｂに吊り下げる商品Ｚの情報を提供する商品情報表示具として、例えば、バーＹｂと一体化された表示板Ｗ１や、バーＹｂ，…の後ろに配置される棚や台等の上に載置される表示具Ｗ２、といったものがある。
【考案の開示】
【考案が解決しようとする課題】
【０００３】
ところで、バーＹｂと一体化された表示板Ｗ１は、一般的に、表示する部分の大きさが小さいため、商品名や価格といった必要最小限の情報しか表示できない。したがって、十分な商品Ｚの情報を顧客に提供することができないため、顧客の購買意欲を向上させることができない。
【０００４】
また、自立する表示具Ｗ２は、設置場所に固定されないため、移動し易く、商品Ｚの配置と対応しないことがよく発生する。よって、その場合、表示具Ｗ２の情報が有効に顧客に提供されないため、顧客の購買意欲を向上させることができない。
【０００５】
そこで、本考案は、斯かる事情に鑑み、商品情報と商品の配置との対応関係を維持させ、十分な商品情報を顧客に提供し、顧客の購買意欲を向上させることができる商品情報表示具を提供しようとするものである。
【課題を解決するための手段】
【０００６】
本考案に係る商品情報表示具は、横並びに配設される複数のバーに吊り下げられる商品の商品情報表示具において、少なくとも一部の領域に商品情報を表示する本体部と、本体部の下端側に設けられ、複数のバーに係止させる複数の係止部とを備え、複数の係止部は、少なくとも一つがバーの軸線の交差方向に所定量以上移動することを規制するように構成され、その内の少なくとも一つ、又は二つ以上の組み合わせで、バーの軸線方向に対する本体部の転倒モーメントに対抗するように構成されることを特徴とする。
【０００７】
ここで、「本体部の下端側」とは、本体部の下端部だけでなく、本体部より下方側の位置も含むことを意味する。また、「所定量」とは、移動量が無い場合、即ち、移動量が零の場合も含むことを意味する。
【０００８】
本考案に係る商品情報表示具によれば、本体部の下端側に設けられる複数の係止部を複数のバーに係止するため、本体部が複数のバーに跨るように大きくなると共に、本体部が横方向（バーの軸線の交差方向）に転倒することを防止できる。また、複数の係止部の内の少なくとも一つ、又は二つ以上の組み合わせで、前後方向（バーの軸線方向）に転倒することを防止し、少なくとも一つの係止部がバーの軸線の交差方向に所定量以上移動することを規制することで、本体部の自立を達成しつつ横方向の移動を防止することができる。これにより、商品情報を視認可能としつつも、本体部（商品情報）と商品の配置との対応関係を維持させることができる。
【０００９】
また、本体部は、平板状の前面部と、平板状の後面部とを備え、前面部及び後面部は、互いの上端側同士が直接的又は間接的に接続され、互いの下端側同士が離間するように形成されると共に、前面部及び後面部の少なくとも何れか一方の下端側に係止部を備えてもよい。
【００１０】
かかる構成によれば、上端側同士が直接的又は間接的に接続される前面部及び後面部が下端側で離間するため、前面部の下端側と後面部の下端側との間隔が大きくなる。これにより、係止部をバーに係止させるようにして本体部（前面部、後面部）の下端側をバーに載置したとき、安定した状態になる。
【００１１】
また、本考案に係る商品情報表示具においては、前面部の下端側と後面部の下端側とが接離可能に構成してもよい。
【００１２】
かかる構成によれば、前面部の下端側と後面部の下端側とが接離可能であるため、前面部の下端側と後面部の下端側との間隔を変更することができる。これにより、前面部の下端側と後面部の下端側との配置をバーに吊り下げる商品の量にあわせることができる。
【００１３】
また、本考案に係る商品情報表示具においては、少なくとも一つの係止部が、バーの軸線方向に連続してバーの周面の上側と当接するように構成してもよい。
【００１４】
かかる構成によれば、本体部が前後方向（バーの軸線方向）に転倒しようとしても、バーの軸線方向に連続してバーの周面の上側と当接する係止部を有するため、本体部が前後方向に転倒することを防止でき、本体部を自立させた状態にすることができる。
【００１５】
また、本考案に係る商品情報表示具においては、二つ以上の係止部が、バーの軸線方向に離間してバーの周面の上側と当接するように構成してもよい。
【００１６】
かかる構成によれば、本体部が前後方向（バーの軸線方向）に転倒しようとしても、バーの軸線方向に離間して、バーの周面の上側と当接する係止部を二つ以上有するため、本体部が前後方向に転倒することを防止でき、本体部を自立させた状態にすることができる。
【００１７】
また、本考案に係る商品情報表示具においては、少なくとも一つの係止部が、バーの周面の上側と当接すると共に、バーの周面の下側と当接するように構成してもよい。
【００１８】
かかる構成によれば、本体部が前後方向（バーの軸線方向）に転倒しようとしても、バーの周面の上側と当接すると共に、バーの周面の下側と当接する係止部を有するため、本体部が前後方向に転倒することを防止でき、本体部を自立させた状態にすることができる。
【００１９】
また、本考案に係る商品情報表示具においては、各係止部は、下向き又は横向きに形成された開口を経由して前記バーを嵌め込み可能な凹部の内周で構成してもよい。
【００２０】
かかる構成によれば、各バーが、下向き又は横向きの開口を経由して凹部に嵌め込むことで、凹部の内周、即ち、係止部に係止され、これにより、商品をバーに吊り下げた後でも、係止部をバーに係止させることができる。
【００２１】
また、本考案に係る商品情報表示具においては、少なくとも一つの係止部は、バーが挿通される穴の内周で構成してもよい。
【００２２】
かかる構成によれば、バーを穴に挿通すると、バーの全周が係止部としての穴の内周に囲まれるため、バーに係止部が係止させると、バーと穴の内周との当接で、本体部がバーの軸線の交差方向の移動も規制される。
【００２３】
また、本考案に係る商品情報表示具においては、本体部は、上端側から下端側に向けて、屈曲又は湾曲する表面を少なくとも一つ備えるように構成してもよい。
【００２４】
かかる構成によれば、本体部が上端側から下端側に向けて、屈曲又は湾曲する表面を少なくとも一つ備えるため、本体部がその表面を前向きして設置されると、平坦な面の場合と比較して、その表面が広くなる。これにより、商品情報を多く提供することができる。
【００２５】
また、本考案に係る商品情報表示具の連続体は、複数の前記商品情報表示具を、分離可能に横並びに連設するようにして構成されることを特徴とする。
【００２６】
本考案に係る商品情報表示具の連続体によれば、複数の商品情報表示具を分離可能に横並びに連設するため、任意の位置で分離すると、商品情報表示具の連続体の横幅寸法が変更できる。
【考案の効果】
【００２７】
本考案の商品情報表示具によれば、商品情報と商品の配置との対応関係を維持させ、十分な商品情報を顧客に提供し、顧客の購買意欲を向上させることができるという優れた効果を奏し得る。
【考案を実施するための最良の形態】
【００２８】
以下、本考案に係る商品情報表示具の実施形態について、添付図面を参照して説明する。なお、図１〜図７において、図１１中の符号と同一の符号を付した構成は、同一の構成又は要素を表す。
【００２９】
まず、本考案の第１実施形態について説明する。本実施形態は、図１に示すように、横並びに配置された複数のフックハンガーＹ，…を用いる商品陳列形態において、商品情報表示具を設置する場合を例とする。まず、商品陳列形態について、具体的に説明する。
【００３０】
各フックハンガーＹは、商品陳列用の什器（図示しない）に横架されるフックバーＸに掛止させるフックＹａと、フックＹａに連接されるバーＹｂとを備える。
【００３１】
フックＹａは、フックバーＸに掛止できるように下向きコ字形状に形成される。バーＹｂは、商品Ｚ，…を吊り下げるため、丸棒状をなし、先端部に屈曲部Ｙｃを備える。屈曲部Ｙｃは、バーＹｂに吊り下げられる商品Ｚ，…が自然に先端部から落下しないようにするため、先端方向に向けて、斜め上方を向いている。
【００３２】
そして、上記構成のフックハンガーＹは、前記フックＹａを、フックバーＸに対して上方から嵌合して係止させることで、バーＹｂが横方向に伸びるようになっている。そして、別のフックハンガーＹ，…も同様に、フックバーＸに取り付けることで、各フックハンガーＹのバーＹｂが軸線を略平行にして横並びに設置される。
【００３３】
本実施形態に係る商品情報表示具は、少なくとも一部の領域に商品情報を表示する本体部１と、本体部１の下端側に設けられ、複数のバーＹｂ，…に係止させる複数の係止部２，…とを備える。
【００３４】
本体部１は、図２（ａ）及び（ｂ）に示すように、平板状の前面部１ａと、平板状の後面部１ｂとを備える。前面部１ａ及び後面部１ｂは、各上端側同士が直接的に接続される一方、各下端側同士が離間している。さらに、前面部１ａ及び後面部１ｂは、各上端側同士が直接的に接続されてなる稜線に対して、同形状又は略同形状（対称又は略対称）である。また、前面部１ａ及び後面部１ｂは、本実施形態において、長方形状をしている。
【００３５】
本体部１は、本実施形態において、図２（ｃ）に示すように、平板状の厚紙から形成される。より、具体的には、前面部１ａ及び後面部１ｂは、長方形状の厚紙を、幅方向又は長手方向の中央部で屈曲して形成される。これにより、前面部１ａの下端側と後面部１ｂの下端側とは、接離可能、即ち、互いの間隔を変化することができる。なお、商品情報は、本体部１の一部に記載してもよく、また、本体部１の全体に記載してもよい。
【００３６】
係止部２，…のそれぞれは、穴３の内周により構成される。より具体的には、バーＹｂを挿通可能な穴３の内周により構成される。即ち、係止部２は、穴３に挿通したバーＹｂの全周を穴３の内周で囲むように構成される。なお、本実施形態においては、前記穴３は、円形状に形成されている。
【００３７】
また、複数の係止部２，…は、前面部１ａの下端部（稜線とは反対側の端部）に下端に沿って設けられる。また同様に、係止部２，…は、後面部１ｂの下端部（稜線とは反対側の端部）に下端に沿って設けられる。そして、各係止部２は、下端に沿って略等間隔に配置される。また、前面部１ａの係止部２，…と後面部１ｂの係止部２，…とは、本体部１の稜線に対して、対称又は略対称となるように配置される。
【００３８】
本実施形態に係る商品情報表示具の構成に関する説明は以上の通りで、次に、この本実施形態に係る商品情報表示具の作用について説明する。
【００３９】
まず、商品情報表示具を横並びに配置される複数のバーＹｂ，…に設置するため、図３（ａ）及び（ｂ）に示すように、本体部１の後面部１ｂの下端部に設けられる穴３，…に各バーＹｂを挿通する。続けて、本体部１の前面部１ａの下端側に設けられる穴３，…に各バーＹｂを挿通し、各バーＹｂの基部付近まで本体部１を移動する。
【００４０】
ここで、前面部１ａの穴３，…及び後面部１ｂの穴３，…は、前記本体部１の稜線で対称又は略対称に配置されているため、各バーＹｂを、各穴３に挿通し易くなっている。なお、前面部１ａの下端側と後面部１ｂの下端側とが接離可能であるため、下端側同士を接触させた状態にすると、さらに、各穴３に各バーＹｂを挿通し易くなる。
【００４１】
このように、各穴３にバーＹｂを挿通すると、本体部１の自重により、各係止部２（各穴３の内周の上側）は、各バーＹｂの周面の上側と当接するため、バーＹｂに係止される。その結果、本体部１の横方向の転倒を防止する。即ち、複数の係止部２，…によって、バーＹｂの軸線の交差方向に対する本体部１の転倒モーメントに対抗する。
【００４２】
さらに、各バーＹｂにおいて、前面部１ａ及び後面部１ｂの係止部２，２（穴３，３の内周の上側）が、バーＹｂの軸線方向に離間した状態で、穴３に挿通するバーＹｂの周面の上側と当接するため、バーＹｂの軸線方向に離間する二箇所で係止される。その結果、本体部１の前後方向の転倒も防止される。即ち、前後方向に間隔を空けた係止部２，…が、バーＹｂの軸線方向に対する本体部１の転倒モーメントに対抗する。
【００４３】
次に、本体部１の前面部１ａより前方に位置する各バーＹｂに複数の商品Ｚ，…を吊り下げる。このとき、前面部１ａと後面部１ｂとの間隔を小さくして、所定数の商品Ｚ，…を各バーＹｂに吊り下げる。これで、商品Ｚ，…の陳列作業が完了する。
【００４４】
その後、顧客が商品Ｚ，…を購入するため、バーＹｂ，…から商品Ｚ…が順次取り外されることになる。すると、図３（ｃ）に示すように、前面部１ａの前方に吊り下げられる商品Ｚ，…の量が減少するため、残った商品Ｚ，…を各バーＹｂの先端側に寄せ集めると、最後尾の商品Ｚと前面部１ａとの間に、ある程度の距離が発生する。そこで、本体部１を上方から手で押すことにより、前面部１ａの下端側と後面部１ｂの下端側とが広がり、最後尾の商品Ｚと前面部１ａとの間の距離が小さくなる。
【００４５】
また、顧客が商品ＺをバーＹｂから取り外す際に、顧客の手が本体部１に接触して、本体部１が移動しそうになることがある。しかし、各係止部２（各穴３の内周）がバーＹｂの全周を囲んでいるため、必ず係止部２（穴３の内周）がバーＹｂのどこかに当接することで、本体部１は、所定量以上を移動することが規制される。
【００４６】
以上より、本実施形態に係る商品情報表示具は、本体部１の下端側に備える係止部２，…が複数のバーＹｂ，…を係止する構成、即ち、複数のバーＹｂ，…に跨って配置される構成であるため、本体部１を大きくすることができ、その結果、大きな商品情報量を表示することができる。
【００４７】
また、本実施形態に係る商品情報表示具は、複数の係止部２，…を複数のバーＹｂ，…に係止させる構成であるため、本体部１の横方向の転倒を防止できる。また、二つの係止部２，２がバーＹｂの軸線方向に離間してバーＹｂを係止する構成であるため、本体部１の前後方向の転倒を防止する。したがって、本体部１は、転倒することなく、複数のバーＹｂ，…に跨って自立することができる。
【００４８】
また、本実施形態に係る商品情報表示具は、前面部１ａの下端側及び後面部１ｂの下端側に設けた穴３，…にバーＹｂ，…を挿通する構成であるため、本体部１がバーＹｂの軸線の横方向に移動すると、各バーＹｂに係止部２，２が必ず当接し、その結果、本体部１は、横方向の移動を規制することができる。よって、本体部１が、バーＹｂ，…に対して大きく変位するのを防止できるため、商品情報と商品の配置とを対応させる状態で維持できる。
【００４９】
また、本実施形態に係る商品情報表示具は、前面部１ａと後面部１ｂとが各上端側で直接的に接続され、各下端側で離間する構成であるため、本体部１のバーＹｂの軸線方向の間隔を大きくすることができる。よって、本体部１は、前後方向の転倒をさらに防止できるため、複数のバーＹｂ，…の上でさらに安定して自立することができる。
【００５０】
また、本実施形態に係る商品情報表示具は、前面部１ａの下端側と後面部１ｂの下端側とが接離可能な構成であるため、後面部１ｂの下端側の位置を各バーＹｂに対して維持したまま、前面部１ａの下端側と各バーＹｂの先端部との間隔を変化することができる。よって、各バーＹｂに吊り下げる商品Ｚ，…の量にあわせて、前面部１ａの下端側と各バーＹｂの先端部との間隔を調整することができるため、見栄えのよい商品陳列を提供できる。
【００５１】
なお、本実施形態において、本体部１（稜線近傍）を上方から手で押すことにより、前面部１ａの下端側と後面部１ｂの下端側との間隔を大きくさせる場合を例にとって説明したが、本体部１の材質の特性により生じる弾性力によって、前面部１ａの下端側と後面部１ｂの下端側との間隔を大きく変化させる場合でもよい。
【００５２】
例えば、薄厚のプラスチックで本体部１を形成すると、本体部１の材質の特性による弾性力で、前面部１ａの下端側と後面部１ｂの下端側との間隔が広がり、商品Ｚ，…をバーＹｂ，…の先端方向に押すこと（商品Ｚ，・・・をバーＹｂの先端側に寄せること）ができる。
【００５３】
次に、本考案の第２実施形態について説明する。本実施形態は、図１に示す第１実施形態の商品陳列形態、即ち、複数のフックハンガーＹ，…を用いる商品陳列形態を前提とする商品情報表示具の連続体（以下、単に「連続体」とする）を設置する場合を例とする。
【００５４】
本実施形態に係る連続体は、図４（ａ）及び（ｂ）に示すように、横並びに連設する複数の商品情報表示具４，…を備える。また、連続体は、各商品情報表示具４を独立して分離させる分離手段８，…を備える。
【００５５】
各商品情報表示具４は、少なくとも一部の領域に商品情報を表示する本体部５と、本体部５の下端側に設けられ、複数のバーＹｂ，…に係止させる複数の係止部６，…とを備える。
【００５６】
本体部５は、平板状の前面部５ａと、平板状の後面部５ｂとを備える。前面部５ａ及び後面部５ｂは、上端側から下端側に向けて屈折する表面を備える。そして、前面部５ａ及び後面部５ｂは、各上端側同士が直接的に接続される一方、各下端側同士が離間している。さらに、前面部５ａ及び後面部５ｂは、各上端側同士が直接的に接続されてなる稜線に対して、同形状又は略同形状（対称又は略対称）である。また、前面部５ａ及び後面部５ｂは、本実施形態において、長方形状をしている。
【００５７】
本体部５は、本実施形態において、図４（ｃ）に示すように、平板状の厚紙から形成される。より具体的には、前面部５ａ及び後面部５ｂは、長方形状の厚紙を、幅方向又は長手方向の中央部で屈曲して形成される。そして、前面部５ａは、上下方向の途中位置で屈曲して形成される。さらに同様に、後面部５ｂも、上下方向の途中位置で屈曲して形成される。また、本体部５（商品情報表示具４）は、前面部５ａの下端側と後面部５ｂの下端側とは接離可能である。
【００５８】
複数の係止部６，…は、各情報表示具４ごとに設けられており、本実施形態では、凹部７の内周により構成される。より具体的には、係止部６は、下向きの開口７ａを備える凹部７の内周により構成される。即ち、係止部６は、各バーＹｂが開口７ａを経由して嵌め込み可能な凹部７の内周により構成される。そして、各係止部６（凹部７の内周）は、バーＹｂに係止すると、バーＹｂの横方向の少なくとも一方側と対向するように構成される。本実施形態に係る係止部６は、下向きに開口７ａを備える下向きＬ字形状の凹部７の内周により構成される。
【００５９】
複数の係止部６，…は、前面部５ａの下端部（前記稜線とは反対側の端部）及び後面部５ｂの下端部（前記稜線とは反対側の端部）に設けられる。そして、各係止部６は、前面部５ａ及び後面部５ｂの下端に沿って略等間隔に配置される。また、前面部５ａの係止部６，…と後面部５ｂの係止部６，…とは、前記稜線に対して、対称又は略対称となるように形成される。
【００６０】
分離手段８としては、例えば、手で容易に分離できるようなミシン目やハーフカット等の分離線を採用することができる。
【００６１】
本実施形態に係る連続体の構成は以上の通りで、次に、本実施形態に係る連続体の作用について説明する。
【００６２】
まず、図５（ａ）及び（ｂ）に示すように、各バーＹｂに複数の商品Ｚ，…を吊り下げる。そして、バーＹｂ，…に対して凹部７，…を嵌め込む。即ち、本体部５，…の前面部５ａ，…及び後面部５ｂ，…の下端側に設けられる下向きの開口７ａ，…を経由して、Ｌ字形状の凹部７，…をバーＹｂ，…に沿わせるようにして連続体を移動させる。これにより、商品Ｚ，…の陳列作業及び連続体（商品情報表示具４，…）の設置が完了する。ここで、前面部５ａ，…及び後面部５ｂ，…の各係止部６は、本体部５，…の上側の前記稜線で対称又は略対称に配置されているため、係止部６，…にバーＹｂ，…を係止させ易くなっている。
【００６３】
このように、凹部７，…をバーＹｂ，…に嵌め込むと、本体部５，…の自重により、各係止部６（凹部７の内周の上側）は、バーＹｂの周面の上側と当接してバーＹｂに係止され、その結果、各係止部６は、本体部５，…の横方向の転倒を防止できる。さらに、前面部５ａ及び後面部５ｂの係止部６，６（凹部７，７の内周の上側）は、各バーＹｂに対して、バーＹｂの軸線方向に離間する二箇所で係止される結果、各係止部６は、本体部５，…の前後方向の転倒も防止する。
【００６４】
その後、顧客が商品Ｚ，…を購入するため、バーＹｂ，…から商品Ｚ…を順次取り外していく。すると、前面部５ａ，…と後面部５ｂ，…との間に吊り下げられる商品Ｚ，…の量が減少するため、特定のバーＹｂから順次、商品Ｚ，…を寄せ集める（図において、左側のバーＹｂ，…から順次、商品Ｚ，…を寄せ集める）と、商品Ｚが吊り下げられるバーＹｂ，…の数が減少する（図において、右側二つのバーＹｂ，Ｙｂに商品Ｚがなくなる）。そこで、図５（ｃ）に示すように、分離線（分離手段８）で商品表示が不要となった部分の商品情報表示具４を切り離すことにより、連続体の横幅寸法を調整できる。
【００６５】
また、顧客が商品ＺをバーＹｂから取り外す際に、本体部５，…に接触して、本体部５，…がバーＹｂの軸線の交差方向に移動することがある。しかし、各バーＹｂが凹部７の内周に当接することで、本体部５，…の移動が規制される。
【００６６】
以上より、本実施形態に係る連続体の商品情報表示具４，…は、本体部５，…の下端側に備える係止部６，…が複数のバーＹｂ，…を係止する構成、即ち、複数のバーＹｂ，…に跨って配置される構成であるため、各商品情報表示具４の本体部５を大きくすることができ、その結果、大きな商品情報量を表示することができる。
【００６７】
また、本実施形態に係る連続体の商品情報表示具４，…は、複数の係止部６，…を複数のバーＹｂ，…に係止させる構成であるため、本体部５，…の横方向の転倒を防止できる。また、二つの係止部６，６がバーＹｂの軸線方向に離間してバーＹｂを係止する構成であるため、本体部５，…の前後方向の転倒を防止する。したがって、本体部５，…は、転倒することなく、複数のバーＹｂ，…に跨って自立することができる。
【００６８】
また、本実施形態に係る連続体の商品情報表示具４，…は、前面部５ａ，…の下端側及び後面部５ｂ，…の下端側に設けた係止部６，…を各バーＹｂに係止させると、バーＹｂに対して、横方向に凹部７の内周が位置する構成であるため、商品情報表示具４，…は、横方向の移動を規制することができる。よって、商品情報表示具４，…が、バーＹｂ，…に対して大きく変位するのを防止できるため、商品情報と商品の配置との対応関係を維持できる。
【００６９】
また、本実施形態に係る連続体の商品情報表示具４，…は、前面部５ａ，…と後面部５ｂ，…とが各上端側で直接的に接続され、各下端側で離間した構成であるため、前面部５ａ，…と後面部５ｂ，…とのバーＹｂの軸線方向の間隔を大きくすることができる。よって、本体部５，…は、前後方向の転倒をさらに防止できるため、複数のバーＹｂ，…の上でさらに安定して自立することができる。
【００７０】
また、本実施形態に係る連続体の商品情報表示具４，…は、各バーＹｂが下向きの開口７ａを経由して、凹部７に嵌め込むことで係止部６に係止される構成であるため、バーＹｂ，…に凹部７，…を嵌め込むだけで、係止部６，…を係止させることができ、その結果、バーＹｂ，…を配置し、商品Ｚ，…をバーＹｂ，…に吊り下げた後でも、係止部６，…をバーＹｂ，…に係止させることができる。
【００７１】
また、本実施形態に係る連続体の商品情報表示具４，…は、各本体部５の前面部５ａが上下方向の中央部で屈曲する構成であるため、単に平坦な面の場合と比較して、その表面が広くなる。よって、多くの商品情報を表示できると共に、広い範囲に向けて商品情報を提供することができる。
【００７２】
また、本実施形態に係る連続体は、複数の商品情報表示具４，…を分離可能に横並びに連設する構成であるため、分離手段８を介して分離すると、連続体の横幅寸法が変更できる。よって、商品を吊り下げるバーＹｂ，…の数量の変化に伴い、連続体の横幅寸法（商品情報表示具４の数）をフレキシブルに調整することができる。そして、吊り下げられていた商品Ｚ，…が無くなったバーＹｂ，…を有効利用することができる。
【００７３】
次に、本考案の第３実施形態について説明する。本実施形態も、図１に示す実施形態１の商品陳列形態を前提とした商品情報表示具を設置する場合を例とする。
【００７４】
本実施形態に係る商品情報表示具は、図６（ａ）及び（ｂ）に示すように、少なくとも一部の領域に商品情報を表示する本体部９と、本体部９の下端側に設けられ、複数のバーＹｂ，…に係止させる複数の係止部１０，…とを備える。
【００７５】
本体部９は、単一な平板状に構成される。また、本体部９は、本実施形態において、長方形状をしている。具体的には、本体部９は、下縁に沿って半円状の凹部９ａ，…を備える。凹部９ａ，…は、下縁に沿って等間隔に備えられている。
【００７６】
本体部９に形成された各凹部９ａには、半円筒状体１０ａが嵌め込まれて固定されており、前記複数の係止部１０，…は、半円筒状体１０ａの内周により構成される。これにより、各係止部１０（半円筒状体１０ａの内周面）が下向きとなり、下向きに開口した凹部を形成する。即ち、半円筒状体１０ａをバーＹｂに載置する（嵌め込む）と、バーＹｂの横方向に半円筒状体１０ａの内周（係止部１０）が位置するように構成されている。
【００７７】
本実施形態に係る商品情報表示具の構成は以上の通りで、次に、本実施形態に係る商品情報表示具の作用について説明する。
【００７８】
商品情報表示具を複数のバーＹｂ，…に設置するため、図６（ｃ）に示すように、各係止部１０を、各バーＹｂの上から載置すると、各係止部１０（各半円筒状体１０ａの内周）は、バーＹｂの軸線方向に連続してバーの周面の上側と当接する。
【００７９】
すると、各係止部１０は、複数のバーＹｂ，…に係止されるため、本体部９の横方向の転倒を防止できる。さらに、各バーＹｂにおいて、係止部１０は、バーＹｂの軸線方向に連続して係止される。その結果、各係止部１０は、本体部９の前後方向の転倒も防止できる。
【００８０】
また、顧客が商品ＺをバーＹｂから取り外す際に、顧客の手が本体部９に接触して、本体部９が移動しそうになることがある。しかし、各係止部１０（各半円筒状体１０ａの内周）がバーＹｂに対して、横方向に位置するため、バーＹｂに係止部１０（半円筒状体１０ａの内周）が当接することで、本体部９は、所定量以上を移動することが規制される。
【００８１】
以上より、本実施形態に係る商品情報表示具は、複数の係止部１０，…を複数のバーＹｂ，…に係止させる構成であるため、本体部９の横方向の転倒を防止できる。また、各係止部１０がバーＹｂの軸線方向に連続してバーＹｂを係止する構成であるため、本体部９の前後方向の転倒を防止する。したがって、本体部９は、転倒することなく、複数のバーＹｂ，…の上に跨って自立することができる。
【００８２】
また、本実施形態に係る商品情報表示具は、係止部１０，…を複数のバーＹｂ，…に係止させると、各バーＹｂの横方向に半円筒状体１０ａの内周が位置するような構成であるため、商品情報表示具の横方向の移動を規制することができる。よって、本体部９が、バーＹｂ，…に対して大きく変位するのを防止できるため、商品情報と商品の配置との対応関係を維持できる。
【００８３】
なお、本実施形態において、各係止部１０を半円筒状体１０ａの内周である場合を例にとって説明したが、中空の筒状体の内周面で各係止部１０を構成してもよい。
【００８４】
次に、本考案の第４実施形態について説明する。本実施形態も、図１に示す実施形態１の商品陳列形態を前提とした商品情報表示具を設置する場合を例とする。
【００８５】
本実施形態に係る商品情報表示具は、図７（ａ）及び（ｂ）に示すように、少なくとも一部の領域に商品情報を表示する本体部１１と、本体部１１の下端側に設けられる複数の係止部１２，…とを備える。
【００８６】
本体部１１は、剛性のある平板状により構成される。また、本体部１１は、本実施形態において、長方形状をしている。
【００８７】
係止部１２，…のそれぞれは、穴１３の内周により構成される。より具体的には、バーＹｂを挿通可能な穴１３の内周により構成される。即ち、係止部１２は、穴１３に挿通したバーＹｂの全周を穴１３の内周で囲むように構成される。なお、本実施形態においては、前記穴１３は、円形状に形成されている。本実施形態の穴１３は、挿通されるバーＹｂよりやや大きく設定されている。
【００８８】
本実施形態に係る商品情報表示具の構成は以上の通りで、次に、本実施形態に係る商品情報表示具の作用について説明する。
【００８９】
まず、商品情報表示具を横並びに配置される複数のバーＹｂ，…に設置するため、図７（ｃ）に示すように、本体部１１の下端部に設けられる穴１３，…に各バーＹｂを挿通する。そして、各バーＹｂの基部付近まで本体部１１を移動させる。
【００９０】
すると、各係止部１２（各穴１３の内周の上側）は、バーＹｂの周面の上側と当接するため、バーＹｂに係止され、その結果、本体部１１の横方向の転倒を防止する。
【００９１】
さらに、本実施形態において本体部１１に形成した穴１３，…がバーＹｂ，…よりもやや大きく設定されているため、本体部１１がバーＹｂに対して傾斜した状態で、各係止部１２（穴１３の内周の上側及び下側）が、バーＹｂの周面の上側及び下側と当接する。これにより、バーＹｂの軸線方向に離間する二箇所で当接する結果、本体部１１の前後方向の転倒も防止される。
【００９２】
また、顧客が商品ＺをバーＹｂから取り外す際に、顧客の手が本体部１１に接触して、本体部１１が移動しそうになることがある。しかし、各係止部１２（各穴１３の内周）がバーＹｂの全周を囲んでいるため、バーＹｂに係止部１２（穴１３の内周）が当接することで、本体部１１は、バーＹｂの軸線の交差方向へ所定量以上を移動することが規制される。
【００９３】
以上より、本実施形態に係る商品情報表示具は、複数の係止部１２，…を複数のバーＹｂ，…に係止させる構成であるため、本体部１１の横方向の転倒を防止できる。また、各穴１３の内周がバーＹｂの周面の上側と当接すると共に、バーＹｂの周面の下側と当接する構成であるため、本体部１１の前後方向の転倒を防止する。したがって、本体部１１は、転倒することなく、複数のバーＹｂ，…に跨って自立することができる。
【００９４】
また、本実施形態に係る商品情報表示具は、本体部１１の下端側に設けた穴１３，…に各バーＹｂを挿通する構成であるため、横方向の移動を規制することができる。よって、本体部１１が、バーＹｂ，…に対して大きく変位するのを防止できるため、商品情報と商品の配置との対応関係を維持できる。
【００９５】
なお、本考案の商品情報表示具は、上記した実施の形態に限定されるものではなく、本考案の要旨を逸脱しない範囲内において種々変更を加え得ることは勿論である。
【００９６】
また、商品情報表示具の係止部は、図１〜図７に図示したものに限らず、図８（ａ）に示すように、係止部１４を下縁に沿った長穴１５の内周で構成してもよく、また長穴１５の内周で構成された係止部１４と、丸穴１６の内周で構成された係止部１７との組み合わせでもよい。さらに、図８（ｂ）に示すように、係止部１８を角穴１９の内周で構成してもよく、また、係止部２０を下向き及び横向きの開口を備えた凹部２１の内周としてもよい。さらに、図８（ｃ）に示すように、係止部２２，２２を下縁に沿った複数の長穴２３，２３の内周で構成してもよく、図８（ｄ）に示すように、係止部２４が下縁に沿った長穴２５の内周であって、長穴２５の上縁に半円状の複数の窪み２６，…を横並びに連設されてもよい。
【００９７】
また、商品情報表示具の本体部（本体部の前面部又は後面部）は、図１〜図８に図示したものに限らず、図９（ａ）に示すように、本体部２７（本体部の前面部又は後面部）が台形でもよく、図９（ｂ）に示すように、本体部２８（本体部の前面部又は後面部）が半円形状の上弧部を切除した形状でもよい。
【００９８】
また、商品情報表示具の本体部は、図１〜９に図示したものに限らず、図１０（ａ）に示すように、本体部２９が前面部２９ａと後面部２９ｂとを平板状な面で間接的に接続してもよく、図１０（ｂ）に示すように、本体部３０が前面部３０ａと後面部３０ｂとが対向するように、本体部３０を全体的に湾曲させるように形成してもよい。
【００９９】
また、上記実施形態において、横架されたフックバーＸにフックハンガーＹ，…を掛止する商品陳列状態に商品情報表示具を設置する場合について説明したが、ネットに掛けるフックハンガーＹ，…に商品Ｚ，…を陳列するような態様でもよい。
【０１００】
また、上記各実施形態において、同一形状の穴又は凹部を複数並設し、複数の係止部のそれぞれを同一形態としたが、これに限定されるものではなく、図８（ａ）及び（ｂ）のように、異なる形態の係止部を組み合わせてもよい。
【０１０１】
また、上記第１及び第２実施形態において、本体部１，５を前面部１ａ，５ａ及び後面部１ｂ，５ｂで構成した場合に、それぞれの係止部２…，６…が対称位置にあることで、本体部１，５の前後方向の転倒を防止したが、例えば、前面部１ａ，５ａの係止部２…，６…及び後面部１ｂ，５ｂの係止部２…，６…であって、バーＹｂの並列方向に異なる位置にある係止部２…，６…の組み合わせで、本体部１，５の前後方向及び横方向の転倒を防止してもよい。
【０１０２】
また、上記各実施形態において、本体部が厚紙から形成される場合について説明したが、紙、金属、合成樹脂（プラスチック）等といった、材質から形成されてもよい。
【図面の簡単な説明】
【０１０３】
【図１】本考案の第１実施形態に係る商品情報表示具を説明する全体概略図を示す。
【図２】第１実施形態に係る商品情報表示具であって、（ａ）は、正面図、（ｂ）は、（ａ）のＡ−Ａ線における断面図、（ｃ）は、展開図を示す。
【図３】第１実施形態に係る商品情報表示具を説明する全体概略図であって、（ａ）は、正面図、（ｂ）は、商品の陳列が完了した状態の側面図、（ｃ）は、商品が一部取り外された状態の立面図を示す。
【図４】本考案の第２実施形態に係る商品情報表示具の連続体であって、（ａ）は、正面図、（ｂ）は、（ａ）のＢ−Ｂ線における断面図、（ｃ）は、展開図を示す。
【図５】第２実施形態に係る商品情報表示具の連続体を説明する全体概略図であって、（ａ）は、商品の陳列が完了した状態の正面図、（ｂ）は、側面図、（ｃ）は、商品が一部取り外された状態の正面図を示す。
【図６】本考案の第３実施形態に係る商品情報表示具であって、（ａ）は、正面図、（ｂ）は、（ａ）のＣ−Ｃ線における断面図、（ｃ）は、バーの上に設置された状態の側面図を示す。
【図７】本考案の第４実施形態に係る商品情報表示具であって、（ａ）は、正面図、（ｂ）は、（ａ）のＤ−Ｄ線における断面図、（ｃ）は、バーの上に設置された状態の側面図を示す。
【図８】本考案の他実施形態に係る商品情報表示具であって、（ａ）、（ｂ）、（ｃ）及び（ｄ）は、それぞれ正面図を示す。
【図９】本考案の別の実施形態に係る商品情報表示具であって、（ａ）及び（ｂ）は、それぞれ正面図を示す。
【図１０】本考案のさらに別の実施形態に係る商品情報表示具であって、（ａ）及び（ｂ）は、それぞれ断面図を示す。
【図１１】従来の商品情報表示板及び商品情報表示具の全体概略図を示す。
【符号の説明】
【０１０４】
１，５，９，１１，２７，２８，２９，３０…本体部、１ａ，５ａ，２９ａ，３０ａ…前面部、１ｂ，５ｂ，２９ｂ，３０ｂ…後面部、２，６，１０，１２，１４，１７，１８，２０，２２，２４…係止部、３，１３，１５，１６，１９，２３，２５…穴（長穴、丸穴、角穴）、４…商品情報表示具、７，２１…凹部、７ａ…開口、８…分離手段、９ａ…凹部、１０ａ…半円筒状体、２６…窪み、Ｘ…フックバー、Ｙ…フックハンガー、Ｙａ…フック、Ｙｂ…バー、Ｙｃ…屈曲部、Ｚ…商品
【図１】
0003130147.tif 000003
【図２】
0003130147.tif 000004
【図３】
0003130147.tif 000005
【図４】
0003130147.tif 000006
【図５】
0003130147.tif 000007
【図６】
0003130147.tif 000008
【図７】
0003130147.tif 000009
【図８】
0003130147.tif 000010
【図９】
0003130147.tif 000011
【図１０】
0003130147.tif 000012
【図１１】
0003130147.tif 000013